(57)【特許請求の範囲】
【請求項１】
帯状の支持体原反、該支持体原反の片面全面に設けられた粘着層、及び、該粘着層に積層された帯状のリリースセパレータを有する被貼付物原反から形成された複数の被貼付物を、帯状の製品セパレータ原反に間隔を空けて貼付した中間製品を製造するための粘着性被覆体の製造装置であって、
前記支持体原反を外側にした被貼付物原反が部分的に巻き掛けられる第１のバキュームドラムであって、被貼付物原反を吸着しながら長さ方向に進行させる第１のバキュームドラムと、
該第１のバキュームドラム上の被貼付物原反の支持体原反及び粘着層に切り目を入れる刃を有するダイロールであって、前記リリースセパレータ上に複数の被貼付物を貼着した被貼付物連設帯を形成するダイロールと、
該被貼付物連設帯が第１のバキュームドラムから架け渡される第２のバキュームドラムであって、リリースセパレータを外側にして被貼付物連設帯を吸着しながら長さ方向に進行させる第２のバキュームドラムと、
該第２のバキュームドラム上の被貼付物連設帯のリリースセパレータを被貼付物から剥離するための剥離機構と、
前記被貼付物連設帯の各被貼付物が移載する製品セパレータ原反を巻き掛ける貼合せローラとを備え、
前記剥離機構は、前記リリースセパレータに当てられる尖端部及び前記被貼付物連設帯の進行方向と反対向きにリリースセパレータを折り返して沿わせる折返面を有するナイフエッジと、該ナイフエッジに隣接して配置され、前記被貼付物を前記第２のバキュームドラムに押し付ける巻込み防止ローラとを備えていることを特徴とする粘着性被覆体の製造装置。
【請求項２】
前記第２のバキュームドラムは、外周面と少なくとも一方の端面とに連通する多数の連通孔を備え、
該第２のバキュームドラムの前記連通孔が露出している端面に重ね合わされる端盤であって、被貼付物連設帯を吸着する範囲で複数の連通孔に連通して吸気する吸気部を設けた端盤を備えていることを特徴とする請求項１に記載の粘着性被覆体の製造装置。
【請求項３】
前記端盤は、前記連通孔から排気するための噴射部を備えていることを特徴とする請求項２に記載の粘着性被覆体の製造装置。
【発明の詳細な説明】
【技術分野】
【０００１】
本発明は、被貼付物を製品セパレータ原反に貼付した粘着性被覆体の中間製品を製造するための粘着性被覆体の製造装置に関する。
【背景技術】
【０００２】
粘着性被覆体は、被貼付物と製品セパレータとを剥離可能に貼り合わせたもので、医薬品などとしても使用されている。被貼付物は、支持体の片側全面に薬剤を含んだ粘着層を積層したもので、粘着性被覆体の製造装置によって大量生産される。
【０００３】
この粘着性被覆体の製造装置は、例えば図４及び図５に示すように、第１のバキュームドラム１１１、剥離手段としてのナイフエッジ１３０、第１のダイロール１１２、第２のバキュームドラム１２１、第２のダイロール１２２を備え、被貼付物原反２１０と製品セパレータ原反２２０とから粘着性被覆体を製造する（例えば特許文献１参照）。
【０００４】
被貼付物原反２１０は、帯状の支持体原反２１１と、支持体原反２１１の片面全面に設けられた粘着層２１２と、この粘着層２１２に積層されたリリースセパレータ２１３とを備え（図５の部分拡大図参照）、ロール状に巻かれた状態から繰り出される。製品セパレータ原反２２０は、ロール状に巻かれた状態から繰り出され、第２のダイロール１２２によって長さ方向に背割が入れられることで、二分割される。
【０００５】
第１のバキュームドラム１１１は、リリースセパレータ２１３を外側に、支持体原反２１１を内側にして被貼付物原反２１０を吸着することで部分的に巻き掛ける。また、第１のバキュームドラム１１１は、一定方向（図面では反時計方向）に回転することで、被貼付物原反２１０を長さ方向に進行させる。
【０００６】
そして、ナイフエッジ１３０は、第１のバキュームドラム１１１に部分的に巻き掛けられた被貼付物原反２１０の進行方向上流側に配置される。ナイフエッジ１３０の尖端部は、リリースセパレータ２１３に当てられる。リリースセパレータ２１３は、ナイフエッジ１３０の折返面に沿って、支持体原反２１１の進行方向に対して折返す方向に引き戻されることで、支持体原反２１１に積層された粘着層２１２から剥離する。
【０００７】
そして、第１のダイロール１１２は、第１のバキュームドラム１１１に部分的に巻き掛けられた支持体原反２１１の進行方向の中間部に配置される。また、第１のダイロール１１２は、粘着層２１２及び支持体原反２１１に切り目を入れて被貼付物（図示せず）を直列状に次々と並べた被貼付物連設帯２１４を形成するための刃（図示せず）を有している。
【０００８】
そして、第２のバキュームドラム１２１は、第１のバキュームドラム１１１に部分的に巻き掛けられた被貼付物連設帯２１４の進行方向下流側に配置される。また、第２のバキュームドラム１２１は、製品セパレータ原反２２０を吸着することで部分的に巻き掛け、第１のバキュームドラム１１１と反対方向（図面では時計方向）に回転することで、製品セパレータ原反２２０の長さ方向に進行させる。また、第２のバキュームドラム１２１の周速度は、第１のバキュームドラム１１１の周速度よりもわずかに速くされている。
【０００９】
そして、第２のダイロール１２２は、第２のバキュームドラム１２１に部分的に巻き掛けられた製品セパレータ原反２２０の進行方向上流側に配置される。また、第２のダイロール１２２は、製品セパレータ原反２２０に長さ方向の背割りを入れる刃（図示せず）を有している。
【００１０】
この粘着性被覆体の製造装置は、以上のように構成される。次に、この製造装置によって粘着性被覆体を製造する方法について説明する。
【００１１】
被貼付物原反２１０が第１のバキュームドラム１１１に部分的に巻き掛けられ、第１のバキュームドラム１１１に吸着される。第１のバキュームドラム１１１が周方向に回転することで、被貼付物原反２１０が長さ方向に進行する。
【００１２】
そして、被貼付物原反２１０のリリースセパレータ２１３は、進行方向上流側でナイフエッジ１３０に当たり、被貼付物原反２１０の進行方向に対して折返す方向に戻されることで、支持体原反２１１の粘着層２１２から剥離する。
【００１３】
そして、粘着層２１２が外側に露出し、支持体原反２１１が第１のバキュームドラム１１１に吸着されながら長さ方向に進行する。そして、第１のダイロール１１２が粘着層２１２及び支持体原反２１１に切り目を入れることで、被貼付物を直列状に次々と並べた状態の被貼付物連設帯２１４が形成される。
【００１４】
一方、製品セパレータ原反２２０は、第２のバキュームドラム１２１に部分的に巻き掛けられ、第２のバキュームドラム１２１に吸着される。第２のバキュームドラム１２１が回転することで、製品セパレータ原反２２０が長さ方向に進行する。そして、製品セパレータは、第２のダイロール１２２によって背割が入れられ、二分割される。
【００１５】
そして、被貼付物連設帯２１４の各被貼付物と二分割された製品セパレータ原反２２０とが第１のバキュームドラム１１１と第２のバキュームドラム１２１とに挟まれた状態となる。第２のバキュームドラム１２１の周速度が第１のバキュームドラム１１１の周速度よりもわずかに速くされていることから、間隔を空けて各被貼付物を製品セパレータ原反２２０に貼付した中間製品が製造される。
【先行技術文献】
【特許文献】
【００１６】
【特許文献１】特許第４９９７３０３号公報
【発明の概要】
【発明が解決しようとする課題】
【００１７】
従来の粘着性被覆体の製造装置では、支持体原反２１１及び粘着層２１２に切り目を入れる第１のダイロール１１２がナイフエッジ１３０よりも下流側に配置されていることから、個々の被貼付物が形成されていない状態の支持体原反２１１からリリースセパレータ２１３が剥離する。支持体原反２１１は、下流側で形成される被貼付物が製品セパレータ原反２２０に移載できるように、最小限の弱い吸着力で第１のバキュームドラム１１１に吸着されている。
【００１８】
したがって、支持体原反２１１が伸縮性を有している場合は、粘着層２１２による支持体原反２１１とリリースセパレータ２１３との貼着力が第１のバキュームドラム１１１の吸着力よりも強いことと相俟って、支持体原反２１１は、引き戻されるリリースセパレータ２１３に追従する、すなわち、ナイフエッジ１３０に沿って折り返され、第１のバキュームドラム１１１から離れ、第１のバキュームドラム１１１に吸着されなくなる。
【００１９】
支持体原反２１１が第１のバキュームドラム１１１から少しでも離れると、支持体原反２１１は、連鎖的に広範囲で第１のバキュームドラム１１１から離れる。したがって、従来の粘着性被覆体の製造装置では、伸縮性を有している支持体原反２１１からリリースセパレータ２１３を剥離することが困難になっている。
【００２０】
そこで、本発明は、支持体原反が伸縮性を有していても、支持体原反に設けられた粘着層からリリースセパレータを確実に剥離することができるようにした粘着性被覆体の製造装置を提供することを課題とする。
【課題を解決するための手段】
【００２１】
本発明に係る粘着性被覆体の製造装置は、帯状の支持体原反、該支持体原反の片面全面に設けられた粘着層、及び、該粘着層に積層された帯状のリリースセパレータを有する被貼付物原反から形成された複数の被貼付物を、帯状の製品セパレータ原反に間隔を空けて貼付した中間製品を製造するための粘着性被覆体の製造装置であって、前記支持体原反を外側にした被貼付物原反が部分的に巻き掛けられる第１のバキュームドラムであって、被貼付物原反を吸着しながら長さ方向に進行させる第１のバキュームドラムと、該第１のバキュームドラム上の被貼付物原反の支持体原反及び粘着層に切り目を入れる刃を有するダイロールであって、前記リリースセパレータ上に複数の被貼付物を貼着した被貼付物連設帯を形成するダイロールと、該被貼付物連設帯が第１のバキュームドラムから架け渡される第２のバキュームドラムであって、リリースセパレータを外側にして被貼付物連設帯を吸着しながら長さ方向に進行させる第２のバキュームドラムと、該第２のバキュームドラム上の被貼付物連設帯のリリースセパレータを被貼付物から剥離するための剥離機構と、前記被貼付物連設帯の各被貼付物が移載する製品セパレータ原反を巻き掛ける貼合せローラとを備え、前記剥離機構は、前記リリースセパレータに当てられる尖端部及び前記被貼付物連設帯の進行方向と反対向きにリリースセパレータを折り返して沿わせる折返面を有するナイフエッジと、該ナイフエッジに隣接して配置され、前記被貼付物を前記第２のバキュームドラムに押し付ける巻込み防止ローラとを備えていることを特徴としている。
【００２２】
この粘着性被覆体の製造装置によれば、第１のバキュームドラムに吸着されて部分的に巻き掛けている被貼付物原反の支持体原反及び粘着層に、ダイロールの刃によって切り目が入れられ、複数の被貼付物をリリースセパレータ上に貼付した被貼付物連設帯が形成される。この被貼付物連設帯は、第１のバキュームドラムから第２のバキュームドラムに進行し、第２のバキュームドラムに部分的に巻き掛けられ、吸着されて長さ方向に進行する。
【００２３】
被貼付物連設帯のリリースセパレータは、第２のバキュームドラムに巻き掛けられると、外側に露出する。このリリースセパレータは、剥離機構によって、被貼付物から剥離する。具体的に、リリースセパレータは、ナイフエッジの尖端部に当てられ、折返面に沿って折り返されることで、被貼付物から剥離する。
このとき、巻込み防止ローラが被貼付物を第２のバキュームドラムに押し付けることで、引き戻されるリリースセパレータに被貼付物が追従することがない。
すなわち、リリースセパレータは、個々の被貼付物の粘着層に貼着し、被貼付物連設帯の全長にわたって一体的に貼着していない。したがって、被貼付物は、伸縮性を有している場合であっても、剥離されるリリースセパレータに引っ張り続けられることなく、第２のバキュームドラムに吸着されながら進行する。
【００２４】
そして、貼合せローラに巻き掛けられた製品セパレータ原反に被貼付物の粘着層が重ね合わされる。製品セパレータ原反の進行速度が第２のバキュームドラムの周速度よりも速くされることで、各被貼付物を製品セパレータに間隔を空けて貼付した中間製品を製造することができる。
【００２５】
また、前記粘着性被覆体の製造装置の一態様として、前記第２のバキュームドラムは、外周面と少なくとも一方の端面とに連通する多数の連通孔を備え、該第２のバキュームドラムの前記連通孔が露出している端面に重ね合わされる端盤であって、被貼付物連設帯を吸着する範囲で複数の連通孔に連通して吸気する吸気部を設けた端盤を備えている構成を採用することができる。
【００２６】
この粘着性被覆体の製造装置によれば、連通孔を備えた第２のバキュームドラムの端面に、吸気部を設けた端盤が重ね合わされる。第２のバキュームドラムが被貼付物連設帯を長さ方向に進行させるために回転し、この回転によって連通孔も回転するが、端盤に形成された吸気部に連通する連通孔のみ吸気される。したがって、貼合せローラによって製品セパレータ原反に貼付された被貼付物が連通孔に吸着され続けることがない。
【００２７】
この場合、前記端盤は、前記連通孔から排気するための噴射部を備えていることが好ましい。
【００２８】
この粘着性被覆体の製造装置によれば、被貼付物が貼合せローラによって製品セパレータ原反に重なり合うまでは、端盤の吸気部から吸気される連通孔によって吸着され、被貼付物が貼合せローラによって製品セパレータ原反に重なり合った状態で、噴射部から連通孔に空気が吹き出ることで、被貼付物が貼合せローラに巻き掛けられている製品セパレータ原反に押し付けられる。
【発明の効果】
【００３１】
本発明によれば、支持体原反が伸縮性を有していても、支持体原反に設けられた粘着層からリリースセパレータを確実に剥離することができるようにした粘着性被覆体の製造装置を提供することができる。
【図面の簡単な説明】
【００３２】
【図１】図１は、本発明に係る粘着性被覆体の製造装置の一実施形態を示す説明図である。
【図２】図２は、本発明に係る粘着性被覆体の製造装置の一実施形態を示す要部であって第１の状態を示す説明図である。
【図３】図３は、本発明に係る粘着性被覆体の製造装置の一実施形態を示す要部であって第２の状態を示す説明図である。
【図４】図４は、従来の粘着性被覆体の製造装置を示す説明図である。
【図５】図５は、従来の粘着性被覆体の製造装置の要部を示す説明図である。
【発明を実施するための形態】
【００３３】
本発明に係る粘着性被覆体の製造装置の一実施形態について図１ないし図３を参照しながら説明する。なお、各図面は模式的に描いてある。
【００３４】
この粘着性被覆体の製造装置は、帯状の被貼付物原反２１０から形成された複数の被貼付物２１５を帯状の製品セパレータ原反２２０に間隔を空けて貼付した中間製品２００を製造するための装置である。
【００３５】
この粘着性被覆体の製造装置は、第１のバキュームドラム１０、ダイロール２０、第２のバキュームドラム３０、剥離機構４０、貼合せローラ５０を備えている。
【００３６】
第１のバキュームドラム１０と第２のバキュームドラム３０は、ともに、周方向に回転し、水平姿勢の回転軸１１ａ，３１ａを備えている。また、第１のバキュームドラム１０と第２のバキュームドラム３０の一方又は両方の端面には、端盤１２，３２が重ね合わされる。
【００３７】
そして、第１のバキュームドラム１０と第２のバキュームドラム３０には、外周面と端面とに貫通する連通孔１１ｂ，３１ｂが環状に多数形成されている。連通孔１１ｂ，３１ｂが第１のバキュームドラム１０と第２のバキュームドラム３０一方の端面にのみ開口するときは、端盤１２，３２はこの一方の端面にのみ重ね合わされ、連通孔１１ｂ，３１ｂが第１のバキュームドラム１０と第２のバキュームドラム３０両方の端面に開口するときは、端盤１２，３２は両方の端面に重ね合わされる。
【００３８】
端盤１２，３２には、一定の範囲で連通孔１１ｂ，３１ｂ内の空気を吸引（吸気）するための凹状の吸気部１２ａ，３２ａが設けられている。吸気部１２ａ，３２ａは、例えばＣ字形状に設けられる。
【００３９】
そして、第２のバキュームドラム３０に重ね合わされた端盤３２には、噴射部３２ｂが設けられている。この噴射部３２ｂは、吸気部３２ａの貼合せローラ５０側の端部に隣り合うように噴射部３２ｂが設けられる。噴射部３２ｂから第２のバキュームドラム３０の連通孔３１ｂに空気が排出（排気）される。
【００４０】
この第２のバキュームドラム３０に重ね合わされた端盤３２は、図２に示すように貼合せローラ５０に隣り合う連通孔３１ｂと吸気部３２ａとが連通する状態と、図３に示すように貼合せローラ５０に隣り合う連通孔３１ｂに噴射部３２ｂが隣り合う状態との一定の角度で往復動する。この端盤３２の往復動は、クランク機構（図示せず）などによって行うことができる。
【００４１】
そして、第１のバキュームドラム１０には、被貼付物原反２１０が部分的に巻き掛けられる。被貼付物原反２１０は、支持体原反２１１を外側に、リリースセパレータ２１３を内側にして第１のバキュームドラム１０に吸着される（図２及び図３では、粘着層２１２を図示していない。）。そして、第１のバキュームドラム１０が一定方向（図面では、時計方向）に回転することで、被貼付物原反２１０が長さ方向に進行する。
【００４２】
そして、ダイロール２０は、第１のバキュームドラム１０に部分的に巻き掛けられた被貼付物原反２１０の進行方向の中間部（図面では、時計の文字盤１２時の位置）に配置される。このダイロール２０は、粘着物原反の支持体原反２１１及び粘着層２１２（図５参照）に切り目を入れる刃を有している。
【００４３】
被粘着物原反２１０の支持体原反２１１及び粘着層２１２に切り目が入れられることで、リリースセパレータ２１３上に複数の被貼付物２１５を直列状に次々と並べた被貼付物連設帯２１４が形成される。なお、刃は、ダイロール２０の外周面に梯子形状に設けられている。
【００４４】
そして、第２のバキュームドラム３０は、被貼付物連設帯２１４を部分的に巻き掛けて吸着する。この第２のバキュームドラム３０は、第１のバキュームドラム１０と反対方向（図面では、反時計方向）に回転することで、被貼付物連設帯２１４を長さ方向に進行させる。被貼付物連設帯２１４のリリースセパレータ２１３は、外側に露出する。
【００４５】
そして、剥離機構４０は、第２のバキュームドラム３０に部分的に巻き掛けられた被貼付物連設帯２１４の進行方向の中間部（図面では、時計の文字盤で５時の位置）に配置される。剥離機構４０は、ナイフエッジ４１と、このナイフエッジ４１に隣接して配置される巻込み防止ローラ４２とを備えている。
【００４６】
ナイフエッジ４１は、リリースセパレータ２１３に当てられる尖端部４１ａと、被貼付物連設帯２１４の進行方向と反対向きにリリースセパレータ２１３を折り返して沿わせる折返面４１ｂとを備えている。巻込み防止ローラ４２は、貼着しないように被貼付物２１５を第２のバキュームドラム３０に押し付ける。
【００４７】
そして、貼合せローラ５０は、第２のバキュームドラム３０に部分的に巻き掛けられた被貼付物連設帯２１４の進行方向下流側に配置され、第２のバキュームドラム３０よりも速い周速度で、第２のバキュームドラム３０と反対方向（図面では、時計方向）に回転する。この貼合せローラ５０には、製品セパレータ原反２２０が部分的に巻き掛けられる。
【００４８】
図示した製品セパレータ原反２２０は、被貼付物２１５の半分の幅よりわずかに広い幅のものが２本並列させたものである。ただし、製品セパレータ原反２２０は、被貼付物２１５と同じ幅の１本だけとしてもよい。いずれにしても、貼合せローラ５０と第２のバキュームドラム３０とは、被貼付物２１５と製品セパレータ原反２２０とを挟むように配置される。
【００４９】
この粘着性被覆体の製造装置は、以上のように構成される。次に、この粘着性被覆体の製造装置によって中間製品２００を製造する方法について説明する。
【００５０】
被貼付物原反２１０が第１のバキュームドラム１０に吸着されて部分的に巻き掛けられ、第１のバキュームドラム１０が回転することで、長さ方向に進行する。この被貼付物原反２１０は、リリースセパレータ２１３が内側となって第１バキュームドラムに吸着され、支持体原反２１１が外側に露出している。
【００５１】
そして、ダイロール２０の刃が被貼付物原反２１０の支持体原反２１１及び粘着層２１２に切り目を入れることで、リリースセパレータ２１３上に被貼付物２１５を直列状に貼付した被貼付物連設帯２１４を形成する。支持体原反２１１及び粘着層２１２の両側部は、スクラップ２１６として除去される。したがって、被貼付物連設帯２１４の両側には、リリースセパレータ２１３の各側部が露出している。
【００５２】
そして、被貼付物連設帯２１４は、第１のバキュームドラム１０に部分的に巻き掛けられた状態からから第２のバキュームドラム３０に部分的に巻き掛けられた状態に進行する。
【００５３】
そして、リリースセパレータ２１３は、剥離機構４０のナイフエッジ４１の尖端部４１ａに当たった位置で、ナイフエッジ４１の折返面４１ｂに沿うように、すなわち、被貼付物連設帯２１４の進行方向と反対向きに折り返され、被貼付物２１５から剥離する。被貼付物連設帯２１４が複数の被貼付物２１５を直列状に貼付したものであり、個々の被貼付物２１５の粘着層２１２からリリースセパレータ２１３が剥離しやすくなっている。
【００５４】
したがって、個々の被貼付物２１５は、伸縮性を有していても、ナイフエッジ４１で折り返されるリリースセパレータ２１３に追従することなく、第２のバキュームドラム３０に吸着し続ける。なお、剥離機構４０の巻込み防止ローラ４２が各被貼付物２１５を第２のバキュームドラム３０に押し付けることによっても、各被貼付物２１５はリリースセパレータ２１３に追従しない。
【００５５】
そして、リリースセパレータ２１３を剥離した被貼付物２１５は、第２のバキュームドラム３０が回転することで貼合せローラ５０の方へ進行する。第２のバキュームドラム３０に重ね合わされた端盤３２に設けられた吸気部３２ａが図２に示すように貼合せローラ５０に隣り合う位置より下流側に位置することで、被貼付物２１５は、貼合せローラ５０の位置まで吸着されながら進行する。
【００５６】
そして、被貼付物２１５が貼合せローラ５０の位置に隣り合うまで進行すると、第２のバキュームドラム３０に重ね合わされた端盤３２が図３に示すように回転し、この端盤３２に設けられた噴射部３２ｂが貼合せローラ５０の位置に隣り合う。そうすると、この貼合せローラ５０に隣り合った被貼付物２１５を吸着していた連通孔３１ｂに空気が吹き出し、この被貼付物２１５が製品セパレータ原反２２０に押し付けられる。
【００５７】
被貼付物２１５の粘着層２１２が製品セパレータに重なることで、被貼付物２１５が製品セパレータ原反２２０に貼付される。そして、貼合せローラ５０の周速度が第２のバキュームドラム３０の周速度よりもわずかに速くされていることから、製品セパレータ原反２２０は、被貼付物２１５を引っ張る状態となる。したがって、先行する被貼付物２１５は、後続の被貼付物２１５と間隔を空けて製品セパレータ原反２２０に貼付される。このように間隔を空けて被貼付物２１５を貼付した製品セパレータ原反２２０は、中間製品２００となる。
【００５８】
そして、この製品セパレータ原反２２０に被貼付物２１５を貼付した中間製品２００は、この後、被貼付物２１５と被貼付物２１５との間の製品セパレータ原反２２０が切断され、包装材によって包装されることで、最終製品が完成する。また、第２のバキュームドラム３０に重ね合わされた端盤３２は、図２に示す元の位置に直ちに戻る。
【００５９】
なお、本発明は、前記実施の形態に限定することなく、種々変更することができる。例えば、この粘着性被覆体の製造装置は、支持体原反２１１が伸縮性を有している場合に好適に使用することができるが、支持体原反２１１が伸縮性を有していない場合でも使用することができる。
【００６０】
また、前記実施の形態では、第２のバキュームドラム３０に重ね合わされた端盤３２が小さな角度で往復動するものとした。しかし、端盤３２を固定したものとし、貼合せローラ５０に隣り合う位置に、吸気部３２ａから独立した給排気部（図示せず）を設け、この給排気部に吸気と排気とを切り替える電磁弁などを備えてもよい。
【００６１】
また、被貼付物連設帯２１４を高速で進行させる必要がない場合は、第２のバキュームドラム３０に重ね合わされた端盤３２に噴射部３２ｂや給排気部を備えなくてもよい。
【００６２】
また、前記実施の形態の剥離機構４０は、巻込み防止ローラ４２によって被貼付物２１５がリリースセパレータ２１３に追従しないようにしたが、粘着層２１２の粘着力などによっては、巻込み防止ローラ４２を必ずしも備えなくてもよい。
【００６３】
また、前記実施の形態では、貼合せローラ５０の周速度が第２のバキュームドラム３０の周速度よりも速いものとした。しかし、貼合せローラ５０は、フリーローラとし、製品セパレータ原反２２０を第２のバキュームドラム３０の周速度よりも速い速度で引っ張るようにしてもよい。
【符号の説明】
【００６４】
１０………第１のバキュームドラム
２０………ダイロール
３０………第２のバキュームドラム
３１ｂ……連通孔
３２………端盤
３２ａ……吸気部
３２ｂ……噴射部
４０………剥離機構
４１………ナイフエッジ
４１ａ……尖端部
４１ｂ……折返面
４２………巻込み防止ローラ
５０………貼合せローラ
２００……中間製品
２１０……被貼付物原反
２１１……支持体原反
２１２……粘着層
２１３……リリースセパレータ
２１４……被貼付物連設帯
２１５……被貼付物
２２０……製品セパレータ原反
【図１】
0005877220.tif 000002
【図２】
0005877220.tif 000003
【図３】
0005877220.tif 000004
【図４】
0005877220.tif 000005
【図５】
0005877220.tif 000006